(57)【特許請求の範囲】
【請求項１】
換気装置と、換気を必要とする複数の部屋を複数のダクトを介して接続するための分岐チャンバーであって、半球形状とした分岐チャンバー本体の平面状一端面のほぼ中央部に換気装置と連結された主ダクトを接続する接続口を設け、各部屋と連結されたダクトを接続する複数の分岐口を前記分岐チャンバー本体の球面状側面に設け、外気は前記換気装置、前記主ダクト、前記接続口を通過し前記分岐チャンバーから複数の前記ダクトへ分配され各部屋へ給気され、前記分岐口に前記分岐チャンバー本体内面に沿うようにスライド式シャッターを設け、前記スライド式シャッターを縦スライド式とし、分岐チャンバー形状に沿って変形しながらスライドする薄い弾性材料で形成することを特徴とする分岐チャンバー。
【請求項２】
複数の分岐口のそれぞれを、接続口から等距離の位置に設けた請求項１記載の分岐チャンバー。
【請求項３】
分岐チャンバー本体の球面状天部を平面状に形成したことを特徴とする請求項１または２記載の分岐チャンバー。
【請求項４】
平面状に形成した天部と球面状側面との境界部をＲ形状にした請求項３記載の分岐チャンバー。
【請求項５】
接続口にエルボを設けることを特徴とする請求項１〜４のいずれかに記載の分岐チャンバー。
【請求項６】
エルボを回転自在に設けることを特徴とする請求項５記載の分岐チャンバー。
【請求項７】
分岐チャンバー本体と換気装置とを一体に構成することを特徴とする請求項１記載の分岐チャンバーおよび換気装置。
【発明の詳細な説明】
【技術分野】
【０００１】
本発明は、換気を必要とする複数の部屋と換気装置をダクトを介して連通接続するための分岐チャンバーに関するものである。
【背景技術】
【０００２】
従来、この種の屋外の空気をダクトを介して複数の部屋に送風するための分岐チャンバーおよび換気装置は、特許文献１に記載されたものが知られている。
【０００３】
以下、その屋外の空気をダクトを介して複数の部屋に送風するための分岐チャンバーについて図８を参照しながら説明する。
【０００４】
図に示すように、分岐チャンバー１０１は、一端に主ダクト（図示せず）を接続する接続口１０２、他端に分岐ダクト（図示せず）を接続する複数の分岐口１０３を設けている。
【特許文献１】特開平１１−１８２９１９号公報
【発明の開示】
【発明が解決しようとする課題】
【０００５】
このような従来の分岐チャンバーでは、接続口から流入した空気が各分岐口に分配されるときに、真正面に配置された分岐口の風量が両端に配置された分岐口の風量より大きくなり、風量のアンバランスを生じるという課題があった。
【０００６】
本発明は、このような従来の課題を解決するものであり、各分岐口の風量アンバランスをなくし均一に各分岐口に風量を流すことができる分岐チャンバーを提供することを目的としている。
【課題を解決するための手段】
【０００７】
本発明の分岐チャンバーおよび換気装置は上記目的を達成するために、換気装置と、換気を必要とする複数の部屋を複数のダクトを介して接続するための分岐チャンバーであって、半球形状とした分岐チャンバー本体の平面状一端面のほぼ中央部に換気装置と連結された主ダクトを接続する接続口を設け、各部屋と連結されたダクトを接続する複数の分岐口を前記分岐チャンバー本体の球面状側面に設け、外気は前記換気装置、前記主ダクト、前記接続口を通過し前記分岐チャンバーから複数の前記ダクトへ分配され各部屋へ給気され、前記分岐口に前記分岐チャンバー本体内面に沿うようにスライド式シャッターを設け、前記スライド式シャッターを縦スライド式とし、分岐チャンバー形状に沿って変形しながらスライドする薄い弾性材料で形成することを特徴とするものである。
【０００８】
この手段により、各分岐口の風量アンバランスをなくし均一に各分岐口に風量を流すことができ、かつ、複数の分岐口を多方向に設け、各部屋へのダクト接続の際に発生するダクトの曲げによる圧力損失の増大を減らし、風量低下、風量のアンバランス、騒音を少なくし、隣接する分岐口間の距離を小さくすることができ、分岐チャンバー形状に沿って変形しながらスライドさせ、あらゆる形状の分岐チャンバーに対応して、複数の分岐口のうち使用しない分岐口を簡単に数に関係なく塞ぐことができる分岐チャンバーが得られる。
【０００９】
また他の手段は、複数の分岐口のそれぞれを、接続口から等距離の位置に設けたものである。
【００１０】
この手段により、各分岐口の風量アンバランスをなくし均一に各分岐口に風量を流すことができ、かつ、複数の分岐口を多方向に設け、各部屋へのダクト接続の際に発生するダクトの曲げによる圧力損失の増大を減らし、風量低下、風量のアンバランス、騒音を少なくすることができる分岐チャンバーが得られる。
【００１１】
また他の手段は、分岐チャンバー本体の球面状天部を平面状に形成したものである。
【００１２】
この手段により、分岐チャンバーの高さを低くし施工性をよくすることができる分岐チャンバーが得られる。
【００１３】
また他の手段は、平面状に形成した天部と球面状側面との境界部をＲ形状にしたものである。
【００１４】
この手段により、空気の滞留や乱流の発生をなくし、圧力損失，騒音の増大を防ぐことができる分岐チャンバーが得られる。
【００２１】
また他の手段は、接続口にエルボを設けるものである。
【００２２】
この手段により、主ダクトと分岐チャンバーを接続する際に無理な曲げにより発生する主ダクトのつぶれをなくし、圧力損失の増大を防ぐことができる分岐チャンバーが得られる。
【００２３】
また他の手段は、エルボを回転自在に設けるものである。
【００２４】
この手段により、主ダクトと分岐チャンバーを接続する際に無理な曲げにより発生する主ダクトのつぶれをよりなくし、圧力損失の増大を防ぐことができる分岐チャンバーが得られる。
【００２５】
また他の手段は、分岐チャンバーと換気装置とを一体に構成するものである。
【００２６】
この手段により、分岐チャンバーと換気装置間の主ダクト施工が不要となり、主ダクトと分岐チャンバーを接続する際に無理な曲げにより発生する主ダクトのつぶれをよりなくし、圧力損失の増大を防ぐことができる分岐チャンバーおよび換気装置が得られる。
【発明の効果】
【００２７】
本発明によれば、各部屋と連結されたダクトを接続する複数の分岐口を分岐チャンバー本体の球面状側面に設けたことにより、各分岐口の風量アンバランスをなくし均一に各分岐口に風量を流すことができ、かつ、複数の分岐口を多方向に設け、各部屋へのダクト接続の際に発生するダクトの曲げによる圧力損失の増大を減らし、風量低下、風量のアンバランス、騒音を少なくすることができ、分岐口に分岐チャンバー本体内面に沿うようにスライド式シャッターを設け、スライド式シャッターを縦スライド式とすることにより、隣接する分岐口間の距離を小さくすることができ、スライド式シャッターを分岐チャンバー形状に沿って変形しながらスライドする薄い弾性材料で形成することにより、分岐チャンバー形状に沿って変形しながらスライドさせ、あらゆる形状の分岐チャンバーに対応して、複数の分岐口のうち使用しない分岐口を簡単に数に関係なく塞ぐことができる効果のある分岐チャンバーを提供できる。
【００２８】
また、複数の分岐口のそれぞれを、接続口から等距離の位置に設けたこにより、各分岐口の風量アンバランスをなくし均一に各分岐口に風量を流すことができ、かつ、複数の分岐口を多方向に設け、各部屋へのダクト接続の際に発生するダクトの曲げによる圧力損失の増大を減らし、風量低下、風量のアンバランス、騒音を少なくすることができる効果のある分岐チャンバーを提供できる。
【００２９】
また、分岐チャンバー本体の球面状天部を平面状に形成したことにより、分岐チャンバーの高さを低くし施工性をよくすることができる効果のある分岐チャンバーを提供できる。
【００３０】
また、平面状に形成した天部と球面状側面との境界部をＲ形状にしたことにより、空気の滞留や乱流の発生をなくし、圧力損失，騒音の増大を防ぐことができる効果のある分岐チャンバーを提供できる。
【００３４】
また、接続口にエルボを設けることにより、主ダクトと分岐チャンバーを接続する際に無理な曲げにより発生する主ダクトのつぶれをなくし、圧力損失の増大を防ぐことができる効果のある分岐チャンバーを提供できる。
【００３５】
また、エルボを回転自在に設けることにより、主ダクトと分岐チャンバーを接続する際に無理な曲げにより発生する主ダクトのつぶれをよりなくし、圧力損失の増大を防ぐことができる効果のある分岐チャンバーを提供できる。
【００３６】
また、分岐チャンバーと換気装置とを一体に構成することにより、分岐チャンバーと換気装置間の主ダクト施工が不要となり、主ダクトと分岐チャンバーを接続する際に無理な曲げにより発生する主ダクトのつぶれをよりなくし、圧力損失の増大を防ぐことができる効果のある分岐チャンバーおよび換気装置を提供できる。
【発明を実施するための最良の形態】
【００３７】
本発明の請求項１記載の分岐チャンバーは、換気装置と、換気を必要とする複数の部屋を複数のダクトを介して接続するための分岐チャンバーであって、半球形状とした分岐チャンバー本体の平面状一端面のほぼ中央部に換気装置と連結された主ダクトを接続する接続口を設け、各部屋と連結されたダクトを接続する複数の分岐口を前記分岐チャンバー本体の球面状側面に設け、外気は前記換気装置、前記主ダクト、前記接続口を通過し前記分岐チャンバーから複数の前記ダクトへ分配され各部屋へ給気され、前記分岐口に前記分岐チャンバー本体内面に沿うようにスライド式シャッターを設け、前記スライド式シャッターを縦スライド式とし、分岐チャンバー形状に沿って変形しながらスライドする薄い弾性材料で形成することを特徴とするものであり、各分岐口の風量アンバランスをなくし均一に各分岐口に風量を流すことができ、かつ、複数の分岐口を多方向に設け、各部屋へのダクト接続の際に発生するダクトの曲げによる圧力損失の増大を減らし、風量低下、風量のアンバランス、騒音を少なくし、分岐口に分岐チャンバー本体内面に沿うようにスライド式シャッターを設け、スライド式シャッターを縦スライド式とすることにより、隣接する分岐口間の距離を小さくすることができ、スライド式シャッターを分岐チャンバー形状に沿って変形しながらスライドする薄い弾性材料で形成することにより、分岐チャンバー形状に沿って変形しながらスライドさせ、あらゆる形状の分岐チャンバーに対応して、複数の分岐口のうち使用しない分岐口を簡単に数に関係なく塞ぐことができるという作用を有する。
【００３８】
また、本発明の請求項２記載の分岐チャンバーは、複数の分岐口のそれぞれを、接続口から等距離の位置に設けたものであり、各分岐口の風量アンバランスをなくし均一に各分岐口に風量を流すことができ、かつ、複数の分岐口を多方向に設け、各部屋へのダクト接続の際に発生するダクトの曲げによる圧力損失の増大を減らし、風量低下、風量のアンバランス、騒音を少なくすることができるという作用を有する。
【００３９】
また、本発明の請求項３記載の分岐チャンバーは、分岐チャンバー本体の球面状天部を平面状に形成したものであり、分岐チャンバーの高さを低くし施工性をよくすることができるという作用を有する。
【００４０】
また、本発明の請求項４記載の分岐チャンバーは、平面状に形成した天部と球面状側面との境界部をＲ形状にしたものであり、空気の滞留や乱流の発生をなくし、圧力損失，騒音の増大を防ぐことができるという作用を有する。
【００４４】
また、本発明の請求項８記載の分岐チャンバーは、接続口にエルボを設けるものであり、主ダクトと分岐チャンバーを接続する際に無理な曲げにより発生する主ダクトのつぶれをなくし、圧力損失の増大を防ぐことができるという作用を有する。
【００４５】
また、本発明の請求項９記載の分岐チャンバーは、エルボを回転自在に設けるものであり、主ダクトと分岐チャンバーを接続する際に無理な曲げにより発生する主ダクトのつぶれをよりなくし、圧力損失の増大を防ぐことができるという作用を有する。
【００４６】
また、本発明の請求項１０記載の分岐チャンバーおよび換気装置は、分岐チャンバーと換気装置とを一体に構成するものであり、分岐チャンバーと換気装置間の主ダクト施工が不要となり、主ダクトと分岐チャンバーを接続する際に無理な曲げにより発生する主ダクトのつぶれをよりなくし、圧力損失の増大を防ぐことができる。
【００４７】
以下、本発明の実施の形態について図面を参照しながら説明する。
【００４８】
（実施の形態１）
図１〜３に示すように、換気装置１と、換気を必要とする複数の部屋２を複数のダクト６を介して接続するために、半球形状とした分岐チャンバー本体３の平面状一端面のほぼ中央部に換気装置１と連結された主ダクト４を接続する接続口５を設け、各部屋２と連結されたダクト６を接続する複数の分岐口７を分岐チャンバー３本体の球面状側面に形成する。複数の分岐口７のそれぞれは、接続口５から等距離の位置に設け、分岐チャンバー３本体内面に沿うように薄い弾性材料で形成された縦スライド式のスライド式シャッターが８設けられている。分岐チャンバー本体３は、球面状天部を平面状にし、その天部と球面状側面との境界部９はＲ形状に形成されている。薄い弾性材料とは、一例として厚さ１〜２ｍｍ程度のＰＰ（ポリプロピレン）、あるいは、ＰＳ（ポリスチレン）等のプラスチック製材料であり、弾性のある材料であればなんでもよい。接続口５には、回転自在なエルボ１０が設けられている。外気は、ダクト１１あるいは１２から流入し、換気装置１，主ダクト４，接続口５を通過し、エルボ１０に流入して分岐チャンバー３から複数のダクト６へ分配され、通気口１３を介して各部屋２へ外気が給気される。
【００４９】
上記構成において、各部屋２と連結されたダクトを接続する複数の分岐口７を分岐チャンバー３本体の球面状側面に設け、複数の分岐口７のそれぞれを、接続口５から等距離の位置に設けたこにより、各分岐口７の風量アンバランスをなくし均一に各分岐口７に風量を流し、各部屋２へのダクト接続の際に発生するダクトの曲げによる圧力損失の増大を減らし、風量低下、風量のアンバランス、騒音を少なくすることができ、また、分岐チャンバー３本体の球面状天部を平面状に形成し天部と球面状側面との境界部９をＲ形状にしたことにより、分岐チャンバー３の高さを低くして施工性をよくし、空気の滞留や乱流の発生をなくて圧力損失，騒音の増大を防ぐことができ、また、分岐口７に分岐チャンバー本体３内面に沿うように薄い弾性材料で縦スライド式のスライド式シャッター８を設けることにより、隣接する分岐口７間の距離を小さくし、分岐チャンバー３形状に沿って変形しながらスライドさせ、あらゆる形状の分岐チャンバー３に対応して、複数の分岐口７のうち使用しない分岐口７を簡単に数に関係なく塞ぐことができ、また、接続口５に回転自在なエルボ１０を設けることにより、主ダクト４と分岐チャンバー３を接続する際に無理な曲げにより発生する主ダクト４のつぶれをなくし、圧力損失の増大を防ぐことができる。
【００５０】
（実施の形態２）
図４〜７に示すように、実施の形態２は実施の形態１とほぼ同等の構成を有し、実施の形態１と同一構成要素については同一番号を付し詳細な説明は省略する。分岐チャンバー本体３Ａと換気装置１Ａとを一体に構成する。換気装置１Ａ運転時には、換気装置１Ａを構成する給気ファンユニット１４によりダクト１１を介して給気された外気が接続口５を通って分岐チャンバー本体３Ａに送られ、外気の流れが乱れることなく各分岐口７に均一に分配されて、ダクト６を介して各部屋２に設けた通気口１３より外気が給気され各部屋２に設けられたアンダーカット１６を介して換気装置１Ａを構成する排気ファンユニット１６によりダクト１２を介して屋外へ排気される。
【００５１】
上記構成において、分岐チャンバー本体３Ａと換気装置１Ａとを一体に構成することにより、分岐チャンバー本体３Ａと換気装置１Ａ間の主ダクト施工が不要となり、主ダクトと分岐チャンバーを接続する際に無理な曲げにより発生する主ダクトのつぶれをよりなくし、圧力損失の増大を防ぐことができる。
【００５２】
なお、実施の形態１あるいは２では、同時給排型の換気システムを用いて説明したが、給気型の換気システムを用いてもよく、その作用効果には差異を生じない。
【産業上の利用可能性】
【００５３】
本発明にかかる分岐チャンバーは、各分岐口の風量アンバランスをなくし均一な風量を各分岐口に流すことができ、また、各部屋へのダクト接続の際に発生する圧力損失の増大を減らし、風量低下、風量のアンバランス、騒音を少なくする作用効果を奏し、換気装置を換気を必要とする複数の部屋および屋外とダクトを介して連通する換気システムに有用である。
【図面の簡単な説明】
【００５４】
【図１】本発明の実施の形態１の分岐チャンバーを使用した換気システムの構成図
【図２】同分岐チャンバーの斜視図
【図３】同分岐チャンバーの断面図
【図４】本発明の実施の形態２の分岐チャンバーを使用した換気システムの構成図
【図５】同分岐チャンバーおよび換気装置の斜視図
【図６】同分岐チャンバーおよび換気装置の断面図
【図７】同分岐チャンバーおよび換気装置の断面図
【図８】従来の分岐チャンバーの斜視図
【符号の説明】
【００５５】
１    換気装置
１Ａ  換気装置
２    部屋
３    分岐チャンバー本体
３Ａ  分岐チャンバー本体
４    主ダクト
５    接続口
６    ダクト
７    分岐口
８    スライド式シャッター
９    境界部
１０  エルボ
【図１】
0004600176.tif 000002
【図２】
0004600176.tif 000003
【図３】
0004600176.tif 000004
【図４】
0004600176.tif 000005
【図５】
0004600176.tif 000006
【図６】
0004600176.tif 000007
【図７】
0004600176.tif 000008
【図８】
0004600176.tif 000009